(57)【要約】【課題】体力を節約でき、推進力を向上できる省力機能付きのフリッパーを提供する。【解決手段】フリッパーは、脚嵌め部の前方に鰭面が延ばし、該鰭面の適当な位置に、少なくとも一つのバネが設置され、該バネによって両端から内へ向かって力を印加する時、支持性を供給し、外へ向かって力を印加する時、延伸性を供給し、この２種類の力量により、フリッパーを交互に搖動する２サイクルの作動過程において、キックすることにより推進する時、鰭面がバネの支持性により水を推す角度を形成して、推進効果を得、還元作動する時、鰭面がバネの延伸性により水の抵抗を少なくする角度を形成して省力且つ快速的に還元する効果を得る。【選択図】図２
0003130618.tif 000002
【実用新案登録請求の範囲】
【請求項１】
脚嵌め部の前方に鰭面が延ばし、鰭面の適当な位置に、少なくとも一つのバネが設置され、該バネによって、両端から内へ向かって力を印加する時の供給した支持性である力量と、外へ向かって力を印加する時の供給した延伸性である力量が異なり、交互に搖動する２サイクルの作動過程において、キックすることにより推進する時、水を推す角度を形成することにより、推進効果を得、還元作動する時、延伸性により、水の抵抗を少なくする角度を形成することにより、省力且つ快速的に還元する効果を得る。
ことを特徴とする省力機能付きのフリッパー。
【請求項２】
鰭面の両側に、それぞれ、柱状体があり、該柱状体の適当な位置に、バネを実装するためのスロットが設置されることを特徴とする請求項１に記載の省力機能付きのフリッパー。
【請求項３】
バネの両端に、それぞれ、柱状体のスロットに嵌入して定位するための嵌入ブロックがあることを特徴とする請求項１に記載の省力機能付きのフリッパー。
【請求項４】
バネの両端に位置する嵌入ブロックに、それぞれ、ネジ穴が設けられ、柱状体のスロットの両側に、それぞれ、貫通穴が設けられ、バネが、二つのネジを、柱状体の貫通穴を貫通してネジ穴に螺着することにより定位されることを特徴とする請求項１に記載の省力機能付きのフリッパー。
【考案の詳細な説明】
【技術分野】
【０００１】
本考案は、省力機能付きのフリッパーに関し、特に、フリッパーに実装したバネである省力装置により、水泳する時、より省力的になり、また、前進の推進力を向上し、脚に痙攣を発生する確率を低減するものに関する。
【背景技術】
【０００２】
従来式のフリッパーは、図１を参照しながら、脚嵌め部１００の前方に鰭面２００が延ばし、該鰭面２００の両側に、フリッパーの支持性を供給する柱状体２０１があり、水泳者が、水中で両足を搖動することにより、フリッパーを交互に搖動するように連動する２サイクル作動において、キックすることにより推進する時、柱状体２０１により、支持性を供給して、鰭面２００が水を推す角度を形成して推進効果を得、また、フリッパーの搖動作動を還元する時、柱状体２０１により、同じ力量を鰭面２００に供給して、水により抵抗される角度が形成されるため、フリッパーの還元作動が、キックすることによる推進作動と同じ力量を消費し、また、該水により抵抗される角度により、還元作動が遅くなり、長時間に操作する時、フリッパーを交互に搖動する作動により消費した力量が同じであるため、水泳者が、容易に疲れ、続航力が良くなくなり、また、脚が容易に痙攣する恐れがある。
【考案の開示】
【考案が解決しようとする課題】
【０００３】
本考案の主な目的は、主として、一般のフリッパーの鰭面の適当な位置に、少なくとも一つのバネを設置し、該バネによって、両端から内へ向かって力を印加する時の支持性と外へ向かって力を印加する時の延伸性の異なる力量を供給し、フリッパーを交互に搖動する２サイクルの作動において、キックすることにより推進する時、鰭面が、バネによって供給された支持性により水を推す角度を形成して推進効果が得られ、また、還元作動する時、鰭面が、バネによって供給された延伸性により水の抵抗を少なくする角度を形成して省力且つ快速的に還元する効果が得られ、そのため、体力を節約でき、推進力を向上でき、そして、脚が痙攣する確率を低減できる省力機能付きのフリッパーを提供する。
【課題を解決するための手段】
【０００４】
請求項１の考案は、脚嵌め部の前方に鰭面が延ばし、鰭面の適当な位置に、少なくとも一つのバネが設置され、該バネによって、両端から内へ向かって力を印加する時の供給した支持性である力量と、外へ向かって力を印加する時の供給した延伸性である力量が異なり、交互に搖動する２サイクルの作動過程において、キックすることにより推進する時時、水を推す角度を形成することにより、推進効果を得、還元作動する時、延伸性により、水の抵抗を少なくする角度を形成することにより、省力且つ快速的に還元する効果を得ることを特徴とする省力機能付きのフリッパーである。
【０００５】
請求項２の考案は、鰭面の両側に、それぞれ、柱状体があり、該柱状体の適当な位置に、バネを実装するためのスロットが設置されることを特徴とする請求項１に記載の省力機能付きのフリッパーである。
【０００６】
請求項３の考案は、バネの両端に、それぞれ、柱状体のスロットに嵌入して定位するための嵌入ブロックがあることを特徴とする請求項１に記載の省力機能付きのフリッパーである。
【０００７】
請求項４の考案は、バネの両端に位置する嵌入ブロックに、それぞれ、ネジ穴が設けられ、柱状体のスロットの両側に、それぞれ、貫通穴が設けられ、バネが、二つのネジを、柱状体の貫通穴を貫通してネジ穴に螺着することにより定位されることを特徴とする請求項１に記載の省力機能付きのフリッパーである。
【考案を実施するための最良の形態】
【０００８】
本考案に係わるフリッパーは、図２と３のように、脚嵌め部１０の前方に鰭面２０が延ばし、鰭面２０の両側に、それぞれ、柱状体２１があり、主な特徴として、鰭面２０の適当な位置に、少なくとも一つのバネ３０が設置され、該バネ３０により、両端から内へ向かって力を印加する時、支持性を供給し、また、外へ向かって力を印加する時、延伸性を供給する。異なる力量による効果は、交互に搖動する２サイクル作動過程において、キックすることにより推進する時、鰭面２０が、バネ３０により供給された支持性により、水を推す角度を形成して推進効果が得られ、還元作動する時、鰭面２０が、バネ３０により供給された延伸性により、水の抵抗を少なくする角度を形成して省力且つ快速的に還元する効果が得られ、これにより、体力を節約でき、続航力が向上され、そして、脚が痙攣する確率を低減でき、特に、抵抗が強い逆流の場合において、交互に搖動する作動を加速する時、より良い効果が得られる。
【０００９】
図３を参照しながら、柱状体２１に、バネ３０を嵌入するためのスロット２１１が形成され、バネ３０の両端に、それぞれ、嵌入ブロック３１を有し、嵌入ブロック３１が緊密的にスロット２１１に嵌入されて定位される。
【００１０】
図４と図４Ａを参照しながら、フリッパーを交互に搖動する２サイクル作動において、水泳者が脚を下へ向かってキックすることにより推進すると、鰭面２０が上へ向かうようになり、バネ３０の両端から内へ向かって力を印加するため、水を推す角度を形成して推進効果が得られ、還元作動する時、水泳者が脚を上へ向かって持ち上げると、鰭面２０が下へ向かうようになり、この時、バネ３０が外へ延伸するため、水の抵抗を少なくする角度を形成して省力且つ快速的に還元する効果が得られ、そのため、体力を節約でき、推進力を向上でき、そして、脚が痙攣する確率を低減できる。
【００１１】
図５を参照しながら、バネ３０の両端に位置する嵌入ブロック３１に、それぞれ、ネジ穴３１１があり、また、柱状体２１のスロット２１１の両側に、それぞれ、貫通穴２１２があり、該バネ３０は、二つのネジ４０により、貫通穴２１２を貫通してバネ３０のネジ穴３１１に螺着されて定位される。
【００１２】
本考案は、フリッパーの鰭面に実装されたバネにより供給された異なる力量により、フリッパーをキックすることにより推進する時、バネによって供給した支持性で、水を推す角度を形成して推進効果が得られ、還元作動する時、バネによる延伸性により、水の抵抗を少なくする角度を形成して省力且つ快速的に還元する効果が得られ、これにより、推進力を供給して快速的に推進でき、抵抗が強い逆流の場合において、交互に搖動する作動を加速する時、脚が痙攣する確率が低減されて、より良い安全性が得られる。
【図面の簡単な説明】
【００１３】
【図１】従来品の外観図
【図２】本考案の外観図
【図３】本考案の分解図
【図４】本考案の作動概念図
【図４Ａ】本考案の図４の局部拡大図
【図５】本考案の実施例図
【符号の説明】
【００１４】
１０        脚嵌め部
２０        鰭面
２１        柱状体
２１１      スロット
２１２      貫通穴
３０        バネ
３１        嵌槽
３１１      ネジ穴
４０        ネジ
１００      脚嵌め部
２００      鰭面
２０１      柱状体
【図１】
0003130618.tif 000003
【図２】
0003130618.tif 000004
【図３】
0003130618.tif 000005
【図４】
0003130618.tif 000006
【図４Ａ】
0003130618.tif 000007
【図５】
0003130618.tif 000008
【手続補正書】
【提出日】平成18年12月22日(2006.12.22)
【手続補正１】
【補正対象書類名】実用新案登録請求の範囲
【補正対象項目名】請求項１
【補正方法】変更
【補正の内容】
【請求項１】
脚嵌め部の前方に鰭面が延ばし、鰭面の適当な位置に、少なくとも一つのバネが設置され、該バネによって、両端から内へ向かって力を印加する時の供給した支持性である力量と、外へ向かって力を印加する時の供給した延伸性である力量が異なり、交互に搖動する２サイクルの作動過程において、キックすることにより推進する時、水を推す角度を形成することにより、推進効果を得、還元作動する時、延伸性により、水の抵抗を少なくする角度を形成することにより、省力且つ快速的に還元する効果を得る、ことを特徴とする省力機能付きのフリッパー。